(57)【要約】【課題】撮像対象から受け取ったＭＲ信号の周波数を変換し前置増幅器が生成させる振動を低減または排除するためのシステム及び装置を提供する。【解決手段】撮像対象により放出された磁気共鳴（ＭＲ）信号を受信するための装置は、ＭＲ信号を検出するように構成された受信器コイル（３０２）と、受信器コイル（３０２）と結合された周波数変換前置増幅器（３０４）と、を含む。周波数変換前置増幅器（３０４）は、ＭＲ信号を増幅し該ＭＲ信号の周波数を中間周波数に転換するように構成されている。周波数変換前置増幅器（３０４）は、事前規定の利得を有する増幅器（３０８）と、少なくとも１つの所定の周波数をフィルタ処理するように構成された周波数フィルタ（３１０）と、ＭＲ信号の周波数を中間周波数に転換するように構成された混合器（３１２）と、を含むことがある。【選択図】図３
2009061272.tif 000002
【特許請求の範囲】
【請求項１】
撮像対象により放出された磁気共鳴（ＭＲ）信号を受信するための装置であって、
ＭＲ信号を検出するように構成された受信器コイル（２０２、３０２）と、
前記受信器コイル（２０２、３０２）と結合されかつＭＲ信号を増幅し該ＭＲ信号の周波数を中間周波数に転換するように構成された周波数変換前置増幅器（２０４、３０４）と、
を備える装置。
【請求項２】
前記中間周波数はＭＲ信号の周波数と異なっている、請求項１に記載の装置。
【請求項３】
前記周波数変換前置増幅器（３０４）は、
事前規定の利得を有する増幅器（３０８）と、
前記増幅器（３０８）と結合されかつ少なくとも１つの所定の周波数をフィルタ処理するように構成された周波数フィルタ（３１０）と、
前記周波数フィルタ（３１０）と結合されかつＭＲ信号の周波数を中間周波数に転換するように構成された混合器（３１２）と、
を備える、請求項１に記載の装置。
【請求項４】
前記混合器（３１２）は、局部発振器信号（３１４）周波数に基づきＭＲ信号の周波数を中間周波数に転換するように構成されている、請求項３に記載の装置。
【請求項５】
撮像対象により放出された磁気共鳴（ＭＲ）信号を受信するためのシステムであって、
ＭＲ信号を検出するように構成された少なくとも１つの受信器コイル（２０２、３０２）と、
前記少なくとも１つの受信器コイル（２０２、３０２）と結合されかつＭＲ信号を増幅し該ＭＲ信号の周波数を中間周波数に転換するように構成された少なくとも１つの周波数変換前置増幅器（２０４、３０４）と、
前記少なくとも１つの周波数変換前置増幅器と結合されかつ増幅済みのＭＲ信号を処理するように構成された受信器（２０６、３０６）と、
を備えるシステム。
【請求項６】
前記少なくとも１つの受信器コイル（２０２、３０２）は受信器コイルアレイ（４０２）内に含まれている、請求項５に記載のシステム。
【請求項７】
さらに、前記受信器（２０６、３０６）を前記少なくとも１つの周波数変換前置増幅器（２０４、３０４）と結合させているコネクタ（２０５、３１６）を備える請求項５に記載のシステム。
【請求項８】
前記少なくとも１つの周波数変換前置増幅器（３０４）は、
事前規定の利得を有する増幅器（３０８）と、
前記増幅器（３０８）と結合されかつ少なくとも１つの所定の周波数をフィルタ処理するように構成された周波数フィルタ（３１０）と、
前記周波数フィルタ（３１０）と結合されかつＭＲ信号の周波数を中間周波数に転換するように構成された混合器（３１２）と、
を備える、請求項５に記載のシステム。
【請求項９】
磁気共鳴撮像（ＭＲＩ）システム内の受信器コイル（３０２）のための周波数変換前置増幅器（３０４）であって、
所定の利得を有すると共に、受信器コイル（３０２）から少なくとも１つの磁気共鳴（ＭＲ）信号を受け取り増幅済みのＭＲ信号を生成するように構成された増幅器（３０８）と、
前記増幅器（３０８）と結合されかつ少なくとも１つの所定の周波数をフィルタ処理するように構成された周波数フィルタ（３１０）と、
前記周波数フィルタ（３１０）と結合されかつ増幅済みＭＲ信号の周波数を中間周波数に転換するように構成された混合器（３１２）と、
を備える周波数変換前置増幅器（３０４）。
【請求項１０】
前記混合器（３１２）は、局部発振器信号（３１４）周波数に基づいて増幅済みＭＲ信号の周波数を中間周波数に転換するように構成されている、請求項９に記載の周波数変換前置増幅器。
【発明の詳細な説明】
【技術分野】
【０００１】
本発明は、全般的には磁気共鳴撮像（ＭＲＩ）システムに関し、また詳細には撮像対象から受け取ったＭＲ信号の周波数を転換するための周波数変換前置増幅器に関する。
【背景技術】
【０００２】
磁気共鳴撮像（ＭＲＩ）は、Ｘ線やその他の電離放射線を用いずに人体の内部の画像を作成することが可能な医用撮像様式の１つである。ＭＲＩは強力なマグネットを用いて強力で均一な静磁場（すなわち、「主磁場」）を発生させている。人体（あるいは、人体の一部）が主磁場内に置かれると、組織の水の中の水素原子核に関連する核スピンが偏向を受ける。このことは、これらのスピンに関連する磁気モーメントが主磁場の方向に特異的に整列することになり、これによって当該軸（慣例では、「ｚ軸」）の方向に小さな正味の組織磁化が得られることを意味する。ＭＲＩシステムはさらに、電流を加えたときに空間変動する振幅がより小さい磁場を発生させる傾斜コイルと呼ばれる構成要素をさらに備える。典型的には傾斜コイルは、ｚ軸に沿って整列すると共に、ｘ軸、ｙ軸またはｚ軸のうちの１つの方向で位置に応じて振幅が直線的に変動するような磁場成分を発生させるように設計されている。傾斜コイルの効果は単一の軸に沿って、その磁場強度に対してまた同時に核スピンの共鳴周波数に対してわずかな傾斜を生成させることにある。その軸が直交した３つの傾斜コイルを使用すれば、身体内の各箇所において標識共鳴周波数を生成することによってＭＲ信号が「空間エンコード」される。水素原子核の共鳴周波数、あるいはその近傍の周波数にあるＲＦエネルギーのパルスを発生させるためには無線周波数（ＲＦ）コイルが使用される。ＲＦコイルを使用すると核スピン系に対して制御された方式でエネルギーが追加される。次いで核スピンがその静止エネルギー状態まで緩和して戻ると、ＲＦ信号の形でエネルギーが放たれる。このＲＦ信号はＲＦ受信器コイル（複数のこともある）によって検出されて、コンピュータや周知の再構成アルゴリズムを用いて画像になるように変換される。
【発明の開示】
【発明が解決しようとする課題】
【０００３】
ＲＦ受信器コイル（複数のこともある）により検出される信号の振幅は小さいのが一般的である。ＲＦ受信器コイルは、ＲＦ受信器コイルが検出した信号を追加的信号処理の前に増幅するために使用される前置増幅器と接続することがある。複数のＲＦ受信器コイルを備えたＭＲＩシステムでは、各ＲＦ受信器コイルごとに前置増幅器を設けることがある。前置増幅器は、ループ対ループの結合を低減させシステムの雑音指数を向上させている。しかし前置増幅器は、その出力インタフェースからの放射により１つの発振器を生成する可能性がある。低損失で遮蔽の高い出力ケーブル及びコネクタを用いると結合及び損失を最小限にすることができるが、こうしたケーブル及びコネクタは、特に複数のＲＦ受信器コイルを備えたシステムではサイズやコストにおいて効率がよくないことがある。したがって、前置増幅器が生成させる振動を低減または排除するためのシステム及び装置に対する必要性が存在する。
【課題を解決するための手段】
【０００４】
一実施形態では、撮像対象により放出された磁気共鳴（ＭＲ）信号を受信するための装置は、ＭＲ信号を検出するように構成された受信器コイルと、該受信器コイルと結合されかつＭＲ信号を増幅し該ＭＲ信号の周波数を中間周波数に転換するように構成された周波数変換前置増幅器と、を含む。
【０００５】
別の実施形態では、撮像対象により放出された磁気共鳴（ＭＲ）信号を受信するためのシステムは、ＭＲ信号を検出するように構成された少なくとも１つの受信器コイルと、該少なくとも１つの受信器コイルと結合されかつＭＲ信号を増幅し該ＭＲ信号の周波数を中間周波数に転換するように構成された少なくとも１つの周波数変換前置増幅器と、該少なくとも１つの周波数変換前置増幅器と結合されかつ増幅済みのＭＲ信号を処理するように構成された受信器と、を含む。
【０００６】
別の実施形態では、磁気共鳴撮像（ＭＲＩ）システム内の受信器コイルのための周波数変換前置増幅器は、所定の利得を有すると共に受信器コイルから少なくとも１つの磁気共鳴（ＭＲ）信号を受け取り増幅済みＭＲ信号を生成するように構成された増幅器と、該増幅器と結合されかつ少なくとも１つの所定の周波数をフィルタ処理するように構成された周波数フィルタと、該周波数フィルタと結合されかつ増幅済みＭＲ信号の周波数を中間周波数に転換するように構成された混合器と、を含む。
【発明を実施するための最良の形態】
【０００７】
本発明については、添付の図面と連係させた以下の詳細な説明からより十分な理解が得られよう。
【０００８】
図１は、一実施形態による例示的な磁気共鳴撮像システムのブロック概要図である。このＭＲＩシステム１０の動作は、キーボードその他の入力デバイス１３、制御パネル１４及びディスプレイ１６を含むオペレータコンソール１２から制御を受けている。コンソール１２は、リンク１８を介してコンピュータシステム２０と連絡していると共に、オペレータがＭＲＩスキャンを指示し、得られた画像を表示し、画像に対して画像処理を実行しかつデータ及び画像をアーカイブするためのインタフェースを提供する。コンピュータシステム２０は、例えばバックプレーン２０ａを用いることにより提供されるような電気的接続及び／またはデータ接続を介して互いに連絡させた多数のモジュールを含む。データ接続は直接配線のリンクとすること、あるいは光ファイバ接続やワイヤレス通信リンクその他とすることがある。コンピュータシステム２０のモジュールには、画像プロセッサモジュール２２、ＣＰＵモジュール２４、並びに画像データアレイを保存するためのフレームバッファを含むことができるメモリモジュール２６が含まれる。代替的な一実施形態では、画像プロセッサモジュール２２は、ＣＰＵモジュール２４上の画像処理機能によって置き換えることができる。コンピュータシステム２０は、アーカイブ用媒体デバイス、永続的またはバックアップ用記憶メモリまたはネットワークとリンクさせている。コンピュータシステム２０はさらにリンク３４を介して単独のシステム制御コンピュータ３２と連絡させることもある。入力デバイス１３は、マウス、ジョイスティック、キーボード、トラックボール、タッチ作動スクリーン、光学読取り棒、音声制御器、あるいは同様な任意の入力デバイスや同等の入力デバイスを含むことができ、また入力デバイス１３は対話式幾何学指定のために使用することができる。
【０００９】
システム制御コンピュータ３２は、電気的接続及び／またはデータ接続３２ａを介して互いに連絡させた１組のモジュールを含む。データ接続３２ａは、直接配線のリンクとすること、あるいは光ファイバ接続やワイヤレス通信リンクその他とすることがある。代替的実施形態では、コンピュータシステム２０及びシステム制御コンピュータ３２のモジュールは同じコンピュータシステムまたは複数のコンピュータシステム上で実現させることができる。システム制御コンピュータ３２のモジュールは、通信リンク４０を介してオペレータコンソール１２と接続したＣＰＵモジュール３６及びパルス発生器モジュール３８を含む。別法としてパルス発生器モジュール３８は、スキャナ装置（例えば、マグネットアセンブリ５２）内に組み込まれることがある。システム制御コンピュータ３２は、実行すべきスキャンシーケンスを指示するオペレータからのコマンドをこのリンク４０を介して受け取っている。パルス発生器モジュール３８は、発生させるＲＦパルス及びパルスシーケンスのタイミング、強度及び形状、並びにデータ収集ウィンドウのタイミング及び長さを記述した命令、コマンド及び／または要求（例えば、無線周波数（ＲＦ）波形）を送出することによって所望のパルスシーケンスを繰り出す（すなわち、実行する）システム構成要素を操作している。パルス発生器モジュール３８は傾斜増幅器システム４２に接続されて、スキャン中に使用される傾斜パルスのタイミング及び形状を制御する傾斜波形と呼ぶデータを生成している。パルス発生器モジュール３８はさらに、生理学的収集制御器４４から患者データを受け取ることができ、この生理学的収集制御器４４は、患者に装着した電極からのＥＣＧ信号など患者に接続した異なる多数のセンサからの信号を受け取っている。パルス発生器モジュール３８はスキャン室インタフェース回路４６と接続されており、スキャン室インタフェース回路４６はさらに、患者及びマグネット系の状態に関連付けした様々なセンサからの信号を受け取っている。このスキャン室インタフェース回路４６を介して、患者位置決めシステム４８はスキャンのために患者テーブルを所望の位置に移動させるコマンドを受け取っている。
【００１０】
パルス発生器モジュール３８が発生させる傾斜波形は、Ｇｘ増幅器、Ｇｙ増幅器及びＧｚ増幅器からなる傾斜増幅器システム４２に加えられる。各傾斜増幅器は、収集した信号の空間エンコードに使用する磁場傾斜パルスを生成させるように全体を番号５０で示す傾斜コイルアセンブリ内の物理的に対応する傾斜コイルを励起させている。傾斜磁場コイルアセンブリ５０は、偏向マグネット５４を含むマグネットアセンブリ５２の一部を形成しており、また全身用ＲＦコイル５６、表面または並列撮像コイル７６あるいはこれら両者を含むことがある。ＲＦコイルアセンブリのコイル５６、７６は、送信と受信の両方をするように構成されること、あるいは送信単独または受信単独向けに構成されることがある。患者または撮像対象７０はマグネットアセンブリ５２の円筒状の患者撮像ボリューム７２内部に位置決めされることがある。システム制御コンピュータ３２内の送受信器モジュール５８は、ＲＦ増幅器６０により増幅を受けて送信／受信スイッチ６２によりＲＦコイル５６、７６に結合されるようなパルスを発生させている。患者内の励起された原子核が放出して得られた信号は、同じＲＦコイル５６により検知し、送信／受信スイッチ６２を介して前置増幅器６４に結合させることができる。別法として、励起された原子核により放出された信号は並列コイルや表面コイル７６など単独の受信コイルによって検知されることがある。増幅したＭＲ信号は、送受信器５８の受信器部分で復調され、フィルタ処理され、さらにディジタル化される。送信／受信スイッチ６２は、パルス発生器モジュール３８からの信号により制御し、送信モードではＲＦ増幅器６０をＲＦコイル５６と電気的に接続させ、受信モードでは前置増幅器６４をＲＦコイル５６に接続させている。送信／受信スイッチ６２によりさらに、送信モードと受信モードのいずれに関しても単独のＲＦコイル（例えば、並列コイルや表面コイル７６）を使用することが可能となる。
【００１１】
ＲＦコイル５６により検知されたＭＲ信号は送受信器モジュール５８によりディジタル化され、システム制御コンピュータ３２内のメモリモジュール６６に転送される。典型的には、ＭＲ信号に対応したデータフレームは、画像作成のために後で変換を受けるまでメモリモジュール６６内に一時的に保存される。アレイプロセッサ６８は周知の変換方法（フーリエ変換が最も一般的）を用いて、ＭＲ信号から画像を作成する。これらの画像はリンク３４を介してコンピュータシステム２０に伝達され、ここで画像はメモリ内に保存される。この画像データは、オペレータコンソール１２から受け取ったコマンドに応じて、長期記憶内にアーカイブしたり、画像プロセッサ２２によりさらに処理してオペレータコンソール１２に伝達しディスプレイ１６上に表示させたりすることができる。
【００１２】
図２は、一実施形態によるＭＲＩシステム向けの受信経路の簡略化ブロック概要図である。受信経路２００は、上述した図１のＭＲＩシステム、あるいはＭＲ画像を取得するための同様または同等のシステムと適合する。受信経路２００は、ＲＦ受信器コイル２０２、周波数変換前置増幅器２０４及び送受信器２０６を含む。送信／受信スイッチその他の別の様々な素子は明瞭にするため図２から省いてある。ＲＦ受信器コイル２０２は例えば、全身用ＲＦコイル、表面コイル、頭部用コイル、コイルアレイ内のあるコイル、その他とすることがあり、また撮像対象に付与された磁場及びＲＦパルスに応答して撮像対象から放出された信号を検出するように構成されている。ＲＦ受信器コイル２０２は周波数変換前置増幅器２０４と結合されると共にこれと信号連絡状態にある。受信器コイル２０２により検出した信号は、信号を増幅し該増幅した信号の周波数を中間周波数に転換するように構成させた周波数変換前置増幅器２０４に提供される（これについては図３を参照しながら以下でより詳細に記載することにする）。中間周波数は収集した信号の周波数と異なる周波数である。したがって周波数変換前置増幅器２０４の出力がＭＲ周波数で放射されず振動を生じないことになる。
【００１３】
一実施形態ではその中間周波数は、収集したＭＲ信号周波数と比べてより低い周波数を有する。別の実施形態ではその中間周波数は、収集したＭＲ信号周波数と比べてより高い周波数を有する。周波数変換前置増幅器２０４はインタフェースまたはコネクタ２０５を介して送受信器２０６と結合されると共にこれと信号連絡状態にある。増幅した信号は追加の処理（例えば、復調、フィルタ処理、ディジタル化、追加的増幅、その他）のために周波数変換前置増幅器２０４から、例えば送受信器２０６の受信器セクションに送られる。中間周波数が収集ＭＲ信号周波数より低い実施形態では、インタフェースまたはコネクタ２０５は、ツイストペアケーブル（ただし、これに限らない）を含め低周波数適合性のインタフェースまたはコネクタである。中間周波数が収集ＭＲ信号周波数より高い実施形態では、インタフェースまたはコネクタ２０５は、同軸ケーブル（ただし、これに限らない）を含め高周波数適合性のインタフェースまたはコネクタである。
【００１４】
指摘したように、受信器コイル２０２から受け取った信号を増幅しこの増幅済み信号の周波数を中間周波数に転換するために周波数変換前置増幅器２０４が使用される。図３は、一実施形態による周波数変換前置増幅器の詳細を含む受信経路の簡略化ブロック概要図である。受信経路３００は、ＲＦ受信器コイル素子３０２、周波数変換前置増幅器３０４、インタフェースまたはコネクタ３１６、並びに送受信器３０６（その要素のうちの一部を示す）を含む。送信／受信スイッチその他など様々な別の要素は明瞭にするため図３から省いてある。図２に関連して上で指摘したように、ＲＦ受信器コイル３０２は例えば、全身用ＲＦコイル、表面コイル、頭部用コイル、コイルアレイ内のあるコイル、その他とすることがある。周波数変換前置増幅器３０４は、増幅器３０８、周波数フィルタ３１０及び混合器３１２を含む。所定の周波数を有する局部発振器（ＬＯ）信号３１４が混合器３１０に提供される。
【００１５】
受信器コイル素子３０２により収集または検知された信号は周波数変換前置増幅器３０４に送られる。この信号は事前規定の利得を用いて増幅器３０８によって増幅される。一実施形態における増幅器３０８は、低ノイズ高利得の増幅器である。次いで増幅した信号は周波数フィルタ３１０に提供され、不要な周波数にある信号はフィルタ除去されると共に、所定のある周波数、幾つかの周波数または周波数帯域にある信号はその通過が許容される。次いで混合器３１２を用い、共通の局部発振器信号３１４の周波数に基づいて増幅済みＭＲ信号の周波数が中間周波数（ＩＦ）に変換される。この中間周波数は収集した信号の周波数と異なる周波数である。したがって、周波数変換前置増幅器３０４の出力がＭＲ周波数で放射されず振動が生ずることがない。一実施形態では、中間周波数はＭＲ信号周波数と比べてより低い周波数である。この図３に示した実施形態では、混合器３１２の（また周波数変換前置増幅器３０４の）出力は、ツイストペアケーブル（ただし、これに限らない）を含め低周波数適合性のインタフェースまたはコネクタ３１６を介して送受信器３０６に提供される。低周波数適合性のインタフェースは、複雑性がより低くかつより安価なインタフェースとすることができる。周波数変換前置増幅器３０４の構成によって、信号対雑音比（ＳＮＲ）がより高くなり得るような非制約の場所で高利得増幅器（または、前置増幅器）を使用することが可能となる。図２に関連して上で指摘したように、代替的な一実施形態における中間周波数はＭＲ信号周波数より高い周波数であり、またインタフェースまたはコネクタ２０５（図２参照）は高周波数適合性のインタフェースである。
【００１６】
代替的な一実施形態では、受信経路３００は複数のまたはアレイ状のＲＦ受信器コイルを含むことがある。図４は、代替的実施形態によるＭＲＩシステム向けの受信経路の簡略化ブロック概要図である。受信経路４００は、上述した図１のＭＲＩシステム、あるいはＭＲ画像を取得するための同様または同等のシステムと適合する。受信経路４００は、各コイル素子がＭＲ信号を別々に検出しているようなアレイ状のＲＦ受信器コイル４０２を含む。ＲＦ受信器コイルアレイは、全身用アレイ、並びに頭部用コイルアレイ、心臓コイルアレイや脊椎コイルアレイなどの身体部分アレイ（ただし、これらに限らない）を含むことがある。アレイ状のコイル素子４０２は、撮像対象内の撮像域（ＦＯＶ）に関するＭＲデータを収集するために使用されており、４つの別々のコイル素子４１０、４１１、４１２及び４１３を含んでいる。各コイル素子４１０、４１１、４１２、４１３からのＭＲ信号は対応する周波数変換前置増幅器４２０、４２１、４２２、４２３のそれぞれに対して別々に送られる。周波数変換前置増幅器４２０、４２１、４２２、４２３はそれぞれ、対応する受信器コイル４１０、４１１、４１２、４１３が受け取った信号を増幅しこの増幅された信号の周波数を中間周波数に転換するように構成されている。増幅されたＭＲ信号は、追加の処理（例えば、復調、フィルタ処理、ディジタル化、追加的増幅、その他）のために受信器４４０の対応する受信器チャンネル（または、データ収集チャンネル）４３０、４３１、４３２、４３３のそれぞれに別々に送られる。受信器４４０及び受信器チャンネル４３０、４３１、４３２、４３３は例えば、送受信器の要素とすることがある。
【００１７】
この記載では、本発明（最適の形態を含む）を開示するため、並びに当業者による本発明の製作及び使用を可能にするために例を使用している。本発明の特許性のある範囲は添付の特許請求の範囲によって規定していると共に、当業者により行われる別の例を含むことができる。こうした別の例は、本特許請求の範囲の文字表記と異ならない構造要素を有する場合や、本特許請求の範囲の文字表記と実質的に差がない等価的な構造要素を有する場合があるが、本特許請求の範囲の域内にあるように意図したものである。任意の処理法や方法の各工程の順序及びシーケンスは、代替的な実施形態に応じて変更されるまたは順序構成し直されることがある。
【００１８】
本発明に対してその精神を逸脱することなく別の多くの変更や修正を実施することができる。こうした変更及びその他の変更の範囲は、添付の特許請求の範囲から明らかとなろう。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００１９】
【図１】一実施形態による例示的な磁気共鳴撮像システムのブロック概要図である。
【図２】一実施形態によるＭＲＩシステムの受信経路の簡略化ブロック概要図である。
【図３】一実施形態による周波数変換前置増幅器の詳細を含む受信経路の簡略化ブロック概要図である。
【図４】代替的実施形態によるＭＲＩシステムの受信経路の簡略化ブロック概要図である。
【符号の説明】
【００２０】
１０  ＭＲＩシステム
１２  オペレータコンソール
１３  入力デバイス
１４  制御パネル
１６  ディスプレイ
１８  リンク
２０  コンピュータシステム
２０ａ  バックプレーン
２２  画像プロセッサモジュール
２４  ＣＰＵモジュール
２６  メモリモジュール
３２  システム制御コンピュータ
３２ａ  データ接続
３４  リンク
３６  ＣＰＵモジュール
３８  パルス発生器モジュール
４０  通信リンク
４２  傾斜増幅器システム
４４  生理学的収集制御器
４６  スキャン室インタフェース回路
４８  患者位置決めシステム
５０  傾斜コイルアセンブリ
５２  マグネットアセンブリ
５４  マグネット
５６  ＲＦコイル
５８  送受信器モジュール
６０  ＲＦ増幅器
６２  送信／受信スイッチ
６４  前置増幅器
６６  メモリモジュール
６８  アレイプロセッサ
７０  患者、撮像対象
７２  円筒状の患者撮像ボリューム
７６  表面または並列撮像コイル
２００  受信経路
２０２  ＲＦ受信器コイル
２０４  周波数変換前置増幅器
２０５  インタフェース、コネクタ
２０６  送受信器
３００  受信経路
３０２  ＲＦ受信器コイル素子
３０４  周波数変換前置増幅器
３０６  送受信器
３０８  増幅器
３１０  周波数フィルタ
３１２  混合器
３１４  局部発振器信号
３１６  コネクタのインタフェース
４００  受信経路
４０２  ＲＦ受信器コイルアレイ
４１０  コイル素子
４１１  コイル素子
４１２  コイル素子
４１３  コイル素子
４２０  周波数変換前置増幅器
４２１  周波数変換前置増幅器
４２２  周波数変換前置増幅器
４２３  周波数変換前置増幅器
４３０  受信器チャンネル
４３１  受信器チャンネル
４３２  受信器チャンネル
４３３  受信器チャンネル
４４０  受信器
【図１】
2009061272.tif 000003
【図２】
2009061272.tif 000004
【図３】
2009061272.tif 000005
【図４】
2009061272.tif 000006